(57)【要約】【課題】待機ボイラと復水器とを繋ぐバイパス管に設けられるバイパス弁の容量を抑制できるとともに、高圧タービンの温度上昇を抑制するための高圧タービンと復水器とを繋ぐバイパス管を不要にでき、燃料消費量も抑制できる蒸気タービンプラントの起動方法を提供する。【解決手段】蒸気タービンプラントの起動方法は、第１の工程と、第２の工程とを有する。第１の工程は、通気ボイラの再熱蒸気圧力を蒸気タービンが要求する再熱蒸気圧力以下、かつ待機ボイラの再熱蒸気圧力を待機ボイラに要求される再熱蒸気圧力以上とし、通気ボイラからのみ蒸気タービンに蒸気を供給する。第２の工程は、通気ボイラの再熱蒸気圧力を待機ボイラの再熱蒸気圧力と同程度まで上げた後、通気ボイラ、待機ボイラからの蒸気を合流させて蒸気タービンに供給する。【選択図】図２
2015081589.tif 000002
【特許請求の範囲】
【請求項１】
高圧タービンおよび中圧タービンを有する蒸気タービンと、前記高圧タービンに高圧蒸気を供給する加熱器および前記高圧タービンの排気蒸気を再加熱して再熱蒸気を前記中圧タービンに供給する再熱器を有する複数のボイラとを有する蒸気タービンプラントの起動方法であって、
通気開始時に前記複数のボイラの一方を前記蒸気タービンに蒸気を供給する通気ボイラとし、他方を前記蒸気タービンに蒸気を供給しない待機ボイラとし、前記通気ボイラの再熱蒸気圧力を前記蒸気タービンが要求する再熱蒸気圧力以下かつ前記待機ボイラの再熱蒸気圧力を前記待機ボイラに要求される再熱蒸気圧力以上とする第１の工程と、
通気開始後、前記蒸気タービンの負荷が所定の値になったとき、前記通気ボイラの再熱蒸気圧力を前記待機ボイラの再熱蒸気圧力と同程度まで上げた後、前記通気ボイラからの蒸気と前記待機ボイラからの蒸気を合流させ、合流させた蒸気を前記蒸気タービンに供給する第２の工程と
を有することを特徴とする蒸気タービンプラントの起動方法。
【請求項２】
高圧タービンおよび中圧タービンを有する蒸気タービンと、前記高圧タービンに高圧蒸気を供給する加熱器および前記高圧タービンの排気蒸気を再加熱して再熱蒸気を前記中圧タービンに供給する再熱器を有する複数のボイラとを有する蒸気タービンプラントの起動方法であって、
通気開始時に前記複数のボイラの一方を前記蒸気タービンに蒸気を供給する通気ボイラとし、他方を前記蒸気タービンに蒸気を供給しない待機ボイラとし、前記通気ボイラおよび前記待機ボイラの再熱蒸気圧力をそれぞれ独立して前記蒸気タービンが要求する再熱蒸気圧力以下とする第１の工程と、
通気開始後、前記蒸気タービンの負荷が所定の値になったとき、前記通気ボイラおよび前記待機ボイラの再熱蒸気圧力を互いに同程度の再熱蒸気圧力となるようにしつつ前記ボイラに要求される再熱蒸気圧力以上に上げた後、前記通気ボイラからの蒸気と前記待機ボイラからの蒸気を合流させ、合流させた蒸気を前記蒸気タービンに供給する第２の工程と
を有することを特徴とする蒸気タービンプラントの起動方法。
【発明の詳細な説明】
【技術分野】
【０００１】
本発明の実施形態は、蒸気タービンプラントの起動方法に関する。
【背景技術】
【０００２】
従来、蒸気タービンプラントとして、単一の蒸気タービンに対して複数のボイラを有するものが知られている。また、蒸気タービンプラントのボイラとして、加熱器および再熱器を有するものが知られている。このような蒸気タービンプラントおいては、その起動における蒸気タービンへの通気開始から所定負荷に到達するまで、蒸気タービンの要求する蒸気流量が少ないことから、一部のボイラから蒸気タービンに蒸気が供給されている。以後、通気開始時に蒸気タービンに蒸気を供給する一部のボイラを通気ボイラと、また蒸気タービンに蒸気を供給しない残部のボイラを待機ボイラと記す。
【０００３】
所定負荷に到達後、待機ボイラの蒸気を通気ボイラの蒸気と合流させて蒸気タービンに供給する（Ｔｉｅ−ｉｎ）。従来、Ｔｉｅ−ｉｎ時における通気ボイラおよび待機ボイラの再熱器から供給される蒸気の圧力（再熱蒸気圧力）は一致している。このような従来技術においては、以下のような課題がある。
【０００４】
ボイラ側については、待機ボイラからの再熱蒸気が蒸気タービンに供給されないように、待機ボイラからの再熱蒸気を復水器へと導くバイパス管が設けられているが、このバイパス管の途中に設けられたバイパス弁の弁容量が大きくならないように、通気開始時から再熱蒸気圧力を高めにしており、これに合わせて通気ボイラの再熱蒸気圧力も高くしている。しかし、蒸気タービン側では、通気開始時、高圧タービンが十分な仕事をできないので風損が生じ、特に最終段落付近の蒸気圧力が大きいと、風損と相まって最終段落の翼の温度が許容値を超えて上昇し、翼と静止部との接触等の重大な事故が発生するおそれがある。これまで、ボイラ側の要求を満たしつつ、蒸気タービン側の要求も満たすために、高圧タービンの出口に接続された低温再熱蒸気管の途中から復水器へと蒸気をバイパスさせるバイパス管が設けられている。
【０００５】
従来、蒸気タービンプラントの起動のために、バイパス系統を設けることが知られている（例えば、特許文献１、２参照）。また、高圧タービンによる風損を抑制するために、低温再熱蒸気管から復水器へと蒸気を逃がす設備を設けることが知られている（例えば、特許文献３参照）。さらに、単一の蒸気タービンに対して複数のボイラを設けることが知られている（例えば、特許文献４参照）。
【先行技術文献】
【特許文献】
【０００６】
【特許文献１】特開２００９−２９３８７１号公報
【特許文献２】特開２０１０−１０６８３５号公報
【特許文献３】特開２００７−  ４６５７７号公報
【特許文献４】特開２００１−３１７３０４号公報
【発明の概要】
【発明が解決しようとする課題】
【０００７】
上記したように、待機ボイラを有する蒸気タービンプラントでは、待機ボイラからの再熱蒸気を復水器へと導くバイパス管の途中に設けられたバイパス弁の弁容量が大きくならないように、通気開始時から再熱蒸気圧力を高めにしており、また通気ボイラの再熱蒸気圧力もこれにあわせて高くしている。しかし、再熱蒸気圧力を高くした場合、高圧タービンの排気部の圧力が高くなり、風損と相まって最終段落の翼の温度上昇が許容値を超えるおそれがある。蒸気タービン側の要求も満たすためには、高圧タービンの出口に接続された低温再熱蒸気管の途中から復水器へと蒸気をバイパスさせるバイパス管が必要となる。また、通気ボイラおよび待機ボイラの双方の再熱蒸気圧力を高くする場合、燃料消費量が多くなる。
【０００８】
本発明が解決しようとする課題は、待機ボイラと復水器とを繋ぐバイパス管に設けられるバイパス弁の弁容量を抑制できるとともに、高圧タービンの温度上昇を抑制するための高圧タービンと復水器とを繋ぐバイパス管を不要にでき、燃料消費量も抑制できる蒸気タービンプラントの起動方法の提供にある。
【課題を解決するための手段】
【０００９】
第１の実施形態の蒸気タービンプラントの起動方法は、高圧タービンおよび中圧タービンを有する蒸気タービンと、前記高圧タービンに高圧蒸気を供給する加熱器および前記高圧タービンの排気蒸気を再加熱して再熱蒸気を前記中圧タービンに供給する再熱器を有する複数のボイラとを有する蒸気タービンプラントの起動方法に関する。
【００１０】
第１の実施形態の蒸気タービンプラントの起動方法は、第１の工程と、第２の工程とを有する。第１の工程は、通気開始時に前記複数のボイラの一方を前記蒸気タービンに蒸気を供給する通気ボイラとし、他方を前記蒸気タービンに蒸気を供給しない待機ボイラとし、前記通気ボイラの再熱蒸気圧力を前記蒸気タービンが要求する再熱蒸気圧力以下かつ前記待機ボイラの再熱蒸気圧力を前記待機ボイラに要求される再熱蒸気圧力以上とする。第２の工程は、通気開始後、前記蒸気タービンの負荷が所定の値になったとき、前記通気ボイラの再熱蒸気圧力を前記待機ボイラの再熱蒸気圧力と同程度まで上げた後、前記通気ボイラからの蒸気と前記待機ボイラからの蒸気を合流させ、合流させた蒸気を前記蒸気タービンに供給する。
【００１１】
第２の実施形態の蒸気タービンプラントの起動方法は、高圧タービンおよび中圧タービンを有する蒸気タービンと、前記高圧タービンに高圧蒸気を供給する加熱器および前記高圧タービンの排気蒸気を再加熱して再熱蒸気を前記中圧タービンに供給する再熱器を有する複数のボイラとを有する蒸気タービンプラントの起動方法に関する。
【００１２】
第２の実施形態の蒸気タービンプラントの起動方法は、第１の工程と、第２の工程とを有する。第１の工程は、通気開始時に前記複数のボイラの一方を前記蒸気タービンに蒸気を供給する通気ボイラとし、他方を前記蒸気タービンに蒸気を供給しない待機ボイラとし、前記通気ボイラおよび前記待機ボイラの再熱蒸気圧力をそれぞれ独立して前記蒸気タービンが要求する再熱蒸気圧力以下とする。第２の工程は、通気開始後、前記蒸気タービンの負荷が所定の値になったとき、前記通気ボイラおよび前記待機ボイラの再熱蒸気圧力を互いに同程度の再熱蒸気圧力となるようにしつつ前記ボイラに要求される再熱蒸気圧力以上に上げた後、前記通気ボイラからの蒸気と前記待機ボイラからの蒸気を合流させ、合流させた蒸気を前記蒸気タービンに供給する。
【図面の簡単な説明】
【００１３】
【図１】実施形態の蒸気タービンプラントを示す系統図。
【図２】第１の実施形態の蒸気タービンプラントの起動方法における蒸気タービンの負荷と、通気ボイラおよび待機ボイラの再熱蒸気圧力との関係を示す図。
【図３】第２の実施形態の蒸気タービンプラントの起動方法における蒸気タービンの負荷と、通気ボイラおよび待機ボイラの再熱蒸気圧力との関係を示す図。
【発明を実施するための形態】
【００１４】
以下、本発明の実施形態について図面を参照して説明する。
【００１５】
図１は、実施形態の蒸気タービンプラントを示す系統図である。
実施形態の蒸気タービンプラント１０は、単一の蒸気タービン１１を有する。蒸気タービン１１は、例えば、高圧タービン１１１、中圧タービン１１２、および低圧タービン１１３を有する。また、実施形態の蒸気タービンプラント１０は、例えば、ボイラ２１、ボイラ３１、および復水器４１を有する。
【００１６】
ボイラ２１は、加熱器２１１および再熱器２１２を有する。加熱器２１１の出口と高圧タービン１１１の入口とは、加熱器２１１側から順に、主蒸気分離弁２２１、主蒸気止め弁２２２、および蒸気加減弁２２３が設けられた主蒸気管２２によって接続されている。高圧タービン１１１の出口と再熱器２１２の入口とは、低温再熱蒸気分離弁２３１が設けられた低温再熱蒸気管２３によって接続されている。再熱器２１２の出口と中圧タービン１１２の入口とは、再熱器２１２側から順に、再熱蒸気分離弁２４１、再熱蒸気止め弁２４２、およびインターセプト弁２４３が設けられた再熱蒸気管２４によって接続されている。
【００１７】
また、主蒸気管２２における主蒸気分離弁２２１の上流側から分岐して低温再熱蒸気管２３における低温再熱蒸気分離弁２３１の下流側に接続するように高圧タービンバイパス管２５が設けられている。高圧タービンバイパス管２５の途中には高圧タービンバイパス弁２５１が設けられている。さらに、再熱蒸気管２４における再熱蒸気分離弁２４１の上流側から分岐して復水器４１に接続するように中低圧タービンバイパス管２６が設けられている。中低圧タービンバイパス管２６の途中には中低圧タービンバイパス弁２６１が設けられている。
【００１８】
同様に、ボイラ３１は、加熱器３１１および再熱器３１２を有する。加熱器３１１の出口と高圧タービン１１１の入口とは、加熱器３１１側から順に、主蒸気分離弁３２１、主蒸気止め弁３２２、および蒸気加減弁３２３が設けられた主蒸気管３２によって接続されている。高圧タービン１１１の出口と再熱器３１２の入口とは、低温再熱蒸気分離弁３３１が設けられた低温再熱蒸気管３３によって接続されている。再熱器３１２の出口と中圧タービン１１２の入口とは、再熱器３１２側から順に、再熱蒸気分離弁３４１、再熱蒸気止め弁３４２、およびインターセプト弁３４３が設けられた再熱蒸気管３４によって接続されている。
【００１９】
また、主蒸気管３２における主蒸気分離弁３２１の上流側から分岐して低温再熱蒸気管３３における低温再熱蒸気分離弁３３１の下流側に接続するように高圧タービンバイパス管３５が設けられている。高圧タービンバイパス管３５の途中には高圧タービンバイパス弁３５１が設けられている。さらに、再熱蒸気管３４における再熱蒸気分離弁３４１の上流側から分岐して復水器４１に接続するように中低圧タービンバイパス管３６が設けられている。中低圧タービンバイパス管３６の途中には中低圧タービンバイパス弁３６１が設けられている。
【００２０】
さらに、中圧タービン１１２の出口と低圧タービン１１３の入口とはクロスオーバー管１１４によって接続されている。低圧タービン１１３の出口は復水器４１に接続され、低圧タービン１１３から排気された蒸気は凝縮して復水となる。この復水は、低圧給水加熱器４２、および脱気器４３の順に導かれる。その後、ボイラ給水ポンプ４４によって昇圧された後、高圧給水加熱器４５を通して加熱器２１１および加熱器３１１に供給される。
【００２１】
また、図示しないが、必要に応じて、各弁の制御装置等が設けられる。制御装置は、演算処理装置、入出力処理装置、記憶装置等を備える。制御装置は、各弁、運転状態を検知する検知装置等に電気的に接続される。検知装置としては、例えば、蒸気タービン１１の構成部品の温度を検知する装置、各弁の開度を検知する装置、蒸気タービン１１の回転数を検知する装置、負荷を検知する装置、蒸気の流量を検知する装置、蒸気の圧力を検知する装置、電力系統併入時における系統周波数や電圧および位相を検知する装置等が挙げられる。
【００２２】
蒸気タービンプラント１０の起動においては、通気開始時から所定負荷時までは、主蒸気管３２の主蒸気分離弁３２１、低温再熱蒸気管３３の低温再熱蒸気分離弁３３１、および再熱蒸気管３４の再熱蒸気分離弁３４１を閉弁することで、ボイラ３１を蒸気タービン１１に蒸気を供給しない待機ボイラとすることができる。一方、主蒸気管２２の主蒸気分離弁２２１、低温再熱蒸気管２３の低温再熱蒸気分離弁２３１、および再熱蒸気管２４の再熱蒸気分離弁２４１を開弁することで、ボイラ２１を蒸気タービン１１に蒸気を供給する通気ボイラとすることができる。
【００２３】
ボイラ２１およびボイラ３１で発生した蒸気の一部が必要に応じて蒸気タービン１１に供給される。蒸気タービン１１に供給されない余剰蒸気は、高圧タービンバイパス管２５および高圧タービンバイパス管３５、さらには中低圧タービンバイパス管２６および中低圧タービンバイパス管３６を通して復水器４１に回収される。
【００２４】
さらに、中低圧タービンバイパス管３６の中低圧タービンバイパス弁３６１を調整することで、待機ボイラとなるボイラ３１の再熱蒸気圧力を調整できる。同様に、中低圧タービンバイパス管２６の中低圧タービンバイパス弁２６１を調整することで、通気ボイラとなるボイラ２１の再熱蒸気圧力を調整できる。
【００２５】
上記したように、それぞれのボイラについて、主蒸気分離弁、低温再熱蒸気分離弁、再熱蒸気分離弁、高圧タービンバイパス弁、中低圧タービンバイパス弁等を設けることで、蒸気供給および再熱蒸気圧力をボイラ毎に独立して調整できる。
【００２６】
次に、第１の実施形態の蒸気タービンプラントの起動方法について説明する。
図２は、第１の実施形態の起動方法における蒸気タービン１１の負荷と、通気ボイラとなるボイラ２１および待機ボイラとなるボイラ３１の再熱蒸気圧力との関係を示す図である。
【００２７】
以下では、実施形態の蒸気タービンプラント１０、すなわち通気ボイラとなるボイラ２１および待機ボイラとなるボイラ３１の２つのボイラを有する蒸気タービンプラント１０の場合を例に挙げて説明する。
【００２８】
第１の実施形態の蒸気タービンプラントの起動方法は、第１の工程１０１と、第２の工程１０２とを有する。第１の工程１０１では、ボイラ２１を蒸気タービン１１に蒸気を供給する通気ボイラとし、ボイラ３１を蒸気タービン１１に蒸気を供給しない待機ボイラとする。通気ボイラであるボイラ２１の再熱蒸気圧力は、蒸気タービン１１が要求する再熱蒸気圧力（Ｐ１）以下とする。待機ボイラであるボイラ３１の再熱蒸気圧力は、従来技術と同じく、待機ボイラに要求される再熱蒸気圧力（Ｐ２）以上、すなわち中低圧バイパス弁３６１の弁容量が大きくならないような所定の再熱蒸気圧力（Ｐ２）以上とする。なお、通常、再熱蒸気圧力（Ｐ１）は再熱蒸気圧力（Ｐ２）より小さい（Ｐ１＜Ｐ２）。第２の工程１０２では、蒸気タービン１１の負荷が所定の値になったとき、通気ボイラであるボイラ２１の熱蒸気圧力を待機ボイラであるボイラ３１の再熱蒸気圧力と同程度まで上げた後、ボイラ２１、３１それぞれの蒸気を合流させた上で合流した蒸気を蒸気タービン１１に供給する。ここで、蒸気タービン１１に供給される蒸気としては、高圧蒸気である主蒸気、および再熱蒸気が挙げられる。
【００２９】
第１の実施形態の起動方法によれば、第１の工程１０１における待機ボイラであるボイラ３１の再熱蒸気圧力が所定の再熱蒸気圧力（Ｐ２）以上であることから、中低圧バイパス弁３６１の弁容量を抑制できる。
【００３０】
また、第１の実施形態の起動方法によれば、第１の工程１０１における通気ボイラであるボイラ２１の再熱蒸気圧力が蒸気タービン１１の要求する再熱蒸気圧力（Ｐ１）以下と低いことから、低温再熱蒸気管２３から復水器４１へと蒸気を逃がす設備、すなわち、低温再熱蒸気管２３と復水器４１とを接続する配管を設けずに、高圧タービン１１１における風損を抑制することができる。具体的には、通気ボイラであるボイラ２１の再熱蒸気圧力を低くすることで、結果的に高圧タービン１１１の排気室の圧力を抑えることができる。それにより風損を抑えられ、結果として高圧タービン１１１の最終段落の温度上昇を許容値内に維持することができる。
【００３１】
さらに、第１の実施形態の起動方法によれば、通気ボイラであるボイラ２１の再熱蒸気圧力が蒸気タービンの要求する再熱蒸気圧力（Ｐ１）以下と低いことから、従来の通気ボイラおよび待機ボイラの双方の再熱蒸気圧力が再熱蒸気圧力（Ｐ２）以上と高いものに比べて、燃料消費量が抑制される。
【００３２】
ここで、蒸気タービン１１が要求する再熱蒸気圧力（Ｐ１）は、高圧タービン１１１における風損を抑制できるものであればよく、蒸気タービン１１の具体的構成によっても若干異なるが、約１０ｂａｒ程度が好ましい。
【００３３】
一方、待機ボイラであるボイラ３１の再熱蒸気圧力（Ｐ２）は、中低圧バイパス弁３６１の弁容量が大きくならないような再熱蒸気圧力以上であればよい。ここで、中低圧バイパス弁３６１の弁容量を低減させるためには、再熱蒸気圧力は大きいほうが好ましいが、再熱蒸気圧力があまり大きすぎると通気ボイラであるボイラ２１の再熱蒸気圧力をその圧力まで引き上げる第２の工程の際、風損により排気室温度が高くなりすぎるおそれがある。このような観点から、再熱蒸気圧力（Ｐ２）は、蒸気タービンプラントの具体的な態様に応じ、弁容量の低減と風損による排気室温度の抑制とを比較考量して、適宜決定することが好ましい。
【００３４】
第１の工程１０１は、以下のようにして行われる。すなわち、通気ボイラであるボイラ２１に関して、主蒸気管２２の主蒸気分離弁２２１、主蒸気止め弁２２２、および蒸気加減弁２２３、低温再熱蒸気管２３の低温再熱蒸気分離弁２３１、再熱蒸気管２４の再熱蒸気分離弁２４１、再熱蒸気止め弁２４２、およびインターセプト弁２４３を開弁する。さらに、高圧タービンバイパス管２５の高圧タービンバイパス弁２５１、および中低圧タービンバイパス管２６の中低圧タービンバイパス弁２６１を開弁する。これによりボイラ２１からの蒸気量を各弁の制御により、蒸気タービン１１の通気に必要な量に調整しながら、蒸気タービン１１に蒸気を供給する。
【００３５】
一方、待機ボイラであるボイラ３１については、主蒸気管３２の主蒸気分離弁３２１、低温再熱蒸気管３３の低温再熱蒸気分離弁３３１、および再熱蒸気管３４の再熱蒸気分離弁３４１を閉弁する。これによりボイラ３１を蒸気タービン１１に蒸気を供給しない待機ボイラとすることができる。なお、主蒸気管３２の主蒸気止め弁３２２および蒸気加減弁３２３、再熱蒸気管３４の再熱蒸気止め弁３４２およびインターセプト弁３４３は、それぞれ開弁しておいてもよいし、閉弁しておいてもよい。また、高圧タービンバイパス管３５の高圧タービンバイパス弁３５１、および中低圧タービンバイパス管３６の中低圧タービンバイパス弁３６１は開弁しておく。これによりボイラ３１からの蒸気は、蒸気タービン１１の通気には一切利用されず、すべてが復水器に供給される。
【００３６】
この際、例えば、中低圧タービンバイパス管２６の中低圧タービンバイパス弁２６１を調整することで、通気ボイラであるボイラ２１の再熱蒸気圧力を調整できる。また、例えば、中低圧タービンバイパス管３６の中低圧タービンバイパス弁３６１を調整することで、待機ボイラであるボイラ３１の再熱蒸気圧力を調整できる。具体的には、中低圧タービンバイパス管２６の中低圧タービンバイパス弁２６１の弁開度を大きくする方向に調整することで、通気ボイラであるボイラ２１の再熱蒸気圧力を低くできる。反対に、中低圧タービンバイパス管３６の中低圧タービンバイパス弁３６１の弁開度を小さくする方向に調整することで、待機ボイラであるボイラ３１の再熱蒸気圧力を高くできる。
【００３７】
第２の工程１０２は、以下のようにして行われる。
すなわち、中低圧タービンバイパス管２６の中低圧タービンバイパス弁２６１の弁開度を第１の工程１０１の弁開度に比べて小さくすることで、通気ボイラであるボイラ２１の再熱蒸気圧力を待機ボイラであるボイラ３１の再熱蒸気圧力と同程度まで上げる。また、主蒸気管３２の主蒸気分離弁３２１、低温再熱蒸気管３３の低温再熱蒸気分離弁３３１、および再熱蒸気管３４の再熱蒸気分離弁３４１を開弁することで、待機ボイラであるボイラ３１からの蒸気とボイラ２１からの蒸気とを圧力が同じ状態にして合流させ、この合流させた蒸気を蒸気タービン１１に供給する。その後は、通気ボイラと待機ボイラの蒸気条件を同じにして、負荷を上昇させる。
【００３８】
第１の工程１０１は、蒸気タービン１１への通気開始時から極低負荷到達時まで行うことが好ましい。ここで、通気開始時とは、蒸気タービン１１に最初の蒸気が供給される瞬間である。また、極低負荷到達時とは、蒸気タービン１１の定格負荷に対する負荷が１０％以上３０％未満のいずれかになるとき、例えば２０％となるときである。
【００３９】
第２の工程１０２の当初に行われる昇圧は、極低負荷到達後に、一定の負荷で行うことが好ましい。昇圧時の負荷を一定にすることで、制御性を良好にできる。また、第２の工程１０２は、中負荷到達時まで行うことが好ましい。すなわち、通気ボイラであるボイラ２１について、第２の工程１０２の当初に行われる昇圧は一定負荷のもとで行い、待機ボイラであるボイラ３１の蒸気と合流させて蒸気タービン１１に供給した後は、再熱蒸気圧力を中負荷到達時まで維持することが好ましい。また、待機ボイラであるボイラ３１について、第２の工程１０２の当初の再熱蒸気圧力（第１の工程１０１の再熱蒸気圧力と同様）を中負荷到達時まで維持することが好ましい。ここで、中負荷到達時とは、蒸気タービン１１の定格負荷に対する負荷が３０％以上６０％以下のいずれかになるときであり、例えば５０％となるときである。
【００４０】
第２の工程１０２の後、例えば、蒸気タービン１１の負荷の増加とともに、通気ボイラであるボイラ２１の再熱蒸気圧力、および待機ボイラであるボイラ３１の再熱蒸気圧力を互いに同程度となるようにしながら徐々に高くする。蒸気タービンが所定の負荷になった後は、例えば、蒸気タービン１１の負荷が定格負荷に到達するまで、通気ボイラであるボイラ２１の再熱蒸気圧力、および待機ボイラであるボイラ３１の再熱蒸気圧力を一定にする。
【００４１】
次に、第２の実施形態の蒸気タービンプラントの起動方法について説明する。
図３は、第２の実施形態の起動方法における蒸気タービン１１の負荷と、通気ボイラとなるボイラ２１および待機ボイラとなるボイラ３１の再熱蒸気圧力との関係を示す図である。
【００４２】
第２の実施形態の蒸気タービンプラントの起動方法は、第１の工程１０３と、第２の工程１０４とを有する。第１の工程１０３では、ボイラ２１を蒸気タービン１１に蒸気を供給する通気ボイラとし、ボイラ３１を蒸気タービン１１に蒸気を供給しない待機ボイラとし、通気ボイラであるボイラ２１および待機ボイラであるボイラ３１の再熱蒸気圧力をそれぞれ独立してＰ１以下とし、通気ボイラであるボイラ２１からのみ蒸気タービン１１に蒸気を供給する。第２の工程１０４では、通気ボイラであるボイラ２１および待機ボイラであるボイラ３１の再熱蒸気圧力をそれぞれ独立してＰ２以上に上げた後、両者を合流させ、合流させた蒸気を蒸気タービン１１に供給する。
【００４３】
第２の実施形態の起動方法によれば、第１の工程１０３における通気ボイラであるボイラ２１の再熱蒸気圧力が低いことから、高圧タービン１１１の最終段の蒸気圧力を低くすることができる。従って、従来技術のように、高圧タービン最終段落の蒸気圧力を低くするために、最終段落の蒸気を復水器に逃がす設備、すなわち低温再熱蒸気管２３から復水器４１へと蒸気を逃がす設備がなくても高圧タービン１１１における風損を抑制することができる。また、第１の工程１０３における待機ボイラであるボイラ３１の再熱蒸気圧力も低いことから、第１の実施形態の起動方法に比べて燃料消費量がさらに抑制される。なお、第１の工程において、待機ボイラとなるボイラ３１の再熱蒸気圧力を下げるにあたっては、待機ボイラとなるボイラ３１からの再熱蒸気をバイパスする中低圧タービンバイパス管３６に設けられる中低圧タービンバイパス弁３６１の弁容量に影響を与えない程度の大きさにすることが望ましい。
【００４４】
第１の工程１０３は、待機ボイラであるボイラ３１の再熱蒸気圧力をＰ１以下に調整することを除いて、第１の実施形態と同様に行うことができる。すなわち、ボイラ２１を通気ボイラとし、またボイラ３１を待機ボイラとするための各弁の開閉状態は、第１の実施形態と同様とすることができる。
【００４５】
また、通気ボイラであるボイラ２１の再熱蒸気圧力の調整は、中低圧タービンバイパス管２６の中低圧タービンバイパス弁２６１の調整により行うことができる。また、待機ボイラであるボイラ３１の再熱蒸気圧力の調整は、中低圧タービンバイパス管３６の中低圧タービンバイパス弁３６１の調整により行うことができる。具体的には、中低圧タービンバイパス管２６の中低圧タービンバイパス弁２６１、および中低圧タービンバイパス管３６の中低圧タービンバイパス弁３６１をいずれも弁開度を大きくする方向に調整することで、通気ボイラであるボイラ２１および待機ボイラであるボイラ３１の再熱蒸気圧力を低くできる。
【００４６】
第２の工程１０４は、例えば、以下のようにして行われる。
すなわち、中低圧タービンバイパス管２６の中低圧タービンバイパス弁２６１の弁開度を第１の工程のときと比べて小さくすることで、通気ボイラであるボイラ２１の再熱蒸気圧力を上げることができる。また、中低圧タービンバイパス管３６の中低圧タービンバイパス弁３６１の弁開度も同様に第１の工程のときと比べて小さくすることで、待機ボイラであるボイラ３１の再熱蒸気圧力を上げることができる。さらに、主蒸気管３２の主蒸気分離弁３２１、低温再熱蒸気管３３の低温再熱蒸気分離弁３３１、および再熱蒸気管３４の再熱蒸気分離弁３４１を開弁することで、待機ボイラであるボイラ３１からの蒸気をボイラ２１からの蒸気と合流させ、この合流させた蒸気を蒸気タービン１１に供給することができる。
【００４７】
以上、実施形態について説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。例えば、上記説明では、２個のボイラを有する場合について説明したが、ボイラの個数については３個以上であってもよい。この場合、通気ボイラまたは待機ボイラとなるボイラは適宜選択できる。
【符号の説明】
【００４８】
１０…蒸気タービンプラント、１１…蒸気タービン、２１…ボイラ、２２…主蒸気管、２３…低温再熱蒸気管、２４…再熱蒸気管、２５…高圧タービンバイパス管、２６…中低圧タービンバイパス管、３１…ボイラ、３２…主蒸気管、３３…低温再熱蒸気管、３４…再熱蒸気管、３５…高圧タービンバイパス管、３６…中低圧タービンバイパス管、４１…復水器、４２…低圧給水加熱器、４３…脱気器、４４…ボイラ給水ポンプ、４５…高圧給水加熱器、１０１…第１の工程、１０２…第２の工程、１０３…第１の工程、１０４…第２の工程、１１１…高圧タービン、１１２…中圧タービン、１１３…低圧タービン、２１１…加熱器、２１２…再熱器、２２１…主蒸気分離弁、２２２…主蒸気止め弁、２２３…蒸気加減弁、２３１…低温再熱蒸気分離弁、２４１…再熱蒸気分離弁、２４２…再熱蒸気止め弁、２４３…インターセプト弁、２５１…高圧タービンバイパス弁、２６１…中低圧タービンバイパス弁、３１１…加熱器、３１２…再熱器、３２１…主蒸気分離弁、３２２…主蒸気止め弁、３２３…蒸気加減弁、３３１…低温再熱蒸気分離弁、３４１…再熱蒸気分離弁、３４２…再熱蒸気止め弁、３４３…インターセプト弁、３５１…高圧タービンバイパス弁、３６１…中低圧タービンバイパス弁
【図１】
2015081589.tif 000003
【図２】
2015081589.tif 000004
【図３】
2015081589.tif 000005